(57)【要約】【課題】制動部にグリスやオイルを付着し難くし、ロータの制動特性が安定した魚釣用スピニングリールを提供する。【解決手段】本発明は、釣糸案内部を有するベール支持部材９を釣糸巻き取り位置と釣糸放出位置に反転自在に支持した魚釣用スピニングリールにおいて、ベール支持部材の反転操作に連動して移動するキックレバー３３と、リール本体２の前部に着脱可能に設けられ、ロータ３の円筒部３Ｂの内壁３Ｄに沿って延在すると共に、内壁３Ｄに対して所定間隔をおいて配されるカバー体４０と、を有している。そして、ベール支持部材を釣糸放出位置に反転させた際、キックレバー３３をカバー体４０の外面に接触させてロータ３の回転に制動力を付与可能としたことを特徴とする。【選択図】図２
2010273618.tif 000002
【特許請求の範囲】
【請求項１】
リール本体と、前記リール本体に設けられ、ハンドルの巻き取り操作に連動回転するロータとを備え、前記ロータに、釣糸案内部を有するベール支持部材を釣糸巻き取り位置と釣糸放出位置に反転自在に支持した魚釣用スピニングリールにおいて、
前記ベール支持部材の反転操作に連動して移動する移動部材と、前記リール本体の前部に着脱可能に設けられ、前記ロータの円筒部の内壁に沿って延在すると共に、前記内壁に対して所定間隔をおいて配される突出部材と、を有し、
前記ベール支持部材を釣糸放出位置に反転させた際、前記移動部材を前記突出部材の外面に接触させてロータの回転に制動力を付与可能としたことを特徴とする魚釣用スピニングリール。
【請求項２】
前記突出部材は、リール本体に回転自在に支持される駆動軸の逆転方向の回転を防止する一方向クラッチを包囲するカバー体として構成されることを特徴とする請求項１に記載の魚釣用スピニングリール。
【請求項３】
前記カバー体と、前記駆動軸と一体回転する回転部との間に、シール機構を配設したことを特徴とする請求項２に記載の魚釣用スピニングリール。
【請求項４】
前記カバー体は、リール本体の前部に対して螺合によって着脱されることを特徴とする請求項２または３に記載の魚釣用スピニングリール。
【発明の詳細な説明】
【技術分野】
【０００１】
本発明は、ハンドルの巻き取り操作に連動回転するロータに、釣糸案内部を有するベール支持部材を釣糸巻き取り位置と釣糸放出位置に反転自在に支持した魚釣用スピニングリールに関する。
【背景技術】
【０００２】
魚釣用スピニングリールは、ハンドルの巻き取り回転操作によって連動回転するロータ及び前後動するスプールを備えた構造となっており、前記ロータには、スプールの周りを回転する一対のアーム部が設けられている。この一対のアーム部の先端には、釣糸案内部を有するベール支持部材が振り分けバネによって反転可能に支持されており、通常、仕掛けを放出する際には、ベール支持部材を釣糸放出位置に反転させ、釣糸に人差し指を引っ掛けて釣竿を振り下ろす操作が成される。
【０００３】
ところで、釣竿を振り下ろして仕掛けを放出する際、その勢いや不要なハンドルの回転等の影響によってロータが回転してしまうことがあり、これにより、前記ベール支持部材が釣糸巻き取り位置に誤復帰して、釣糸が仕掛けと共に切断してしまうことがある。
【０００４】
そこで、このような釣糸放出操作時のロータの不要な回転によって生じる誤復帰を防止する手段として、例えば、特許文献１に開示されている誤復帰防止装置を組み込んだ魚釣用スピニングリールが知られている。この公知文献に開示されている誤復帰防止装置は、ベール支持部材の反転開放操作に連動する連動部材に、制動体を具備した弾性支持板を設け、ベール支持部材の反転開放時に前記制動体をリール本体の前部に形成した制動部に当接可能とした構造となっている。
【先行技術文献】
【特許文献】
【０００５】
【特許文献１】特許第３９８３０１８号公報
【発明の概要】
【発明が解決しようとする課題】
【０００６】
上記した公知技術におけるリール本体は、その前部にリング状の制動部を嵌入、固定した構成となっており、このようなリール本体に対して軸受、一方向クラッチなどの各種機能部品を組み込む際、前記リング状の制動部にグリスやオイルが付着し易く、そのため、誤復帰防止時におけるロータの制動特性が低下してしまう可能性がある。
【０００７】
本発明は、上記した問題に着目してなされたものであり、制動部にグリスやオイルを付着し難くし、ロータの制動特性が安定した魚釣用スピニングリールを提供することを目的とする。
【課題を解決するための手段】
【０００８】
上記した目的を達成するために、本発明は、リール本体と、前記リール本体に設けられ、ハンドルの巻き取り操作に連動回転するロータとを備え、前記ロータに、釣糸案内部を有するベール支持部材を釣糸巻き取り位置と釣糸放出位置に反転自在に支持した魚釣用スピニングリールにおいて、前記ベール支持部材の反転操作に連動して移動する移動部材と、前記リール本体の前部に着脱可能に設けられ、前記ロータの円筒部の内壁に沿って延在すると共に、前記内壁に対して所定間隔をおいて配される突出部材と、を有し、前記ベール支持部材を釣糸放出位置に反転させた際、前記移動部材を前記突出部材の外面に接触させてロータの回転に制動力を付与可能としたことを特徴とする。
【０００９】
上記した構成の魚釣用スピニングリールによれば、釣糸放出時において、ベール支持部材を釣糸放出位置に反転させた際、移動部材がリール本体の前部に着脱可能に設けられた突出部材の外面に接触してロータの回転に抵抗力が付与される。これにより、釣竿を振り下ろして仕掛けを放出する際、その勢いや不要なハンドルの回転等の影響によってロータが回転することがなく、釣糸が仕掛けと共に切断してしまうことが防止される。
【００１０】
そして、上記した突出部材は、ロータの円筒部の内壁に対して所定間隔をおいて延在しており、各種の機能部品は、その突出部材に対して径方向内側に配置されるため、前記移動部材が接触する面には、グリスやオイル等が付着することがなく、ロータの制動特性が安定する。特に、リールを組立てる際、前記突出部材は、ユニット体として、リール本体に対して上記した機能部品を組み込んだ後に組み付けることができるため、そのような組立て作業時においても、グリスやオイル等が付着することが防止される。
【発明の効果】
【００１１】
本発明によれば、制動部にグリスやオイルを付着し難くし、ロータの制動特性が安定した魚釣用スピニングリールが得られる。
【図面の簡単な説明】
【００１２】
【図１】本発明に係る魚釣用スピニングリールの第１の実施形態を示す図であり、内部構成を示した図。
【図２】図１に示す主要部の拡大図。
【図３】図１のＡ−Ａ線に沿った断面図。
【図４】スプール及びロータ部分の側面図であり、釣糸巻き取り状態を示す図。
【図５】図４に示すカバーを取り外した状態を示す図。
【図６】スプール及びロータ部分の側面図であり、釣糸放出状態を示す図。
【図７】図６に示すカバーを取り外した状態を示す図。
【図８】本発明に係る魚釣用スピニングリールの第２の実施形態を示す図であり、主要部を拡大した図。
【図９】図８のＢ−Ｂ線に沿った断面図。
【図１０】本発明に係る魚釣用スピニングリールの第３の実施形態を示す図であり、内部構成を示した図。
【図１１】図１０に示す主要部の拡大図。
【図１２】図１０のＣ−Ｃ線に沿った断面図。
【発明を実施するための形態】
【００１３】
図１から図７は、本発明に係る魚釣用スピニングリールの第１の実施形態を示す図であり、図１は、内部構成を示した図、図２は、図１に示す主要部の拡大図、図３は、図１のＡ−Ａ線に沿った断面図、図４は、スプール及びロータ部分の側面図であり、釣糸巻き取り状態を示す図、図５は、図４に示すカバーを取り外した状態を示す図、図６は、スプール及びロータ部分の側面図であり、釣糸放出状態を示す図、そして、図７は、図６に示すカバーを取り外した状態を示す図である。
【００１４】
魚釣用スピニングリール１は、釣竿に装着するための竿取付け部２Ａが形成されたリール本体２と、リール本体前方に回転可能に配されたロータ３と、ロータ３の回転運動と同期して前後動可能に配されたスプール５と、ロータを回転駆動すると共に、スプールを前後動させるように、リール本体２に回転可能に支持されたハンドル６とを有している。
【００１５】
前記ロータ３には、一対のアーム部（腕部）３ａが形成されており、夫々の前端部には、ベール７の基端部を取り付けたベール支持部材９が、釣糸巻き取り位置と釣糸放出位置に反転可能に振り分け保持されている。なお、ベール７の一方の基端部は、ベール支持部材９に一体的に設けられた釣糸案内部１０に取り付けられている。
【００１６】
前記リール本体２内には、前記ハンドル６が装着されたハンドル軸６ａが回転可能に支持されている。前記ハンドル軸６ａには、巻き取り駆動機構が係合しており、この巻き取り駆動機構は、ハンドル軸６ａに一体回転可能に装着された駆動ギヤ１２と、この駆動ギヤ１２に噛合するピニオン歯部１３ａを有する共に、ハンドル軸６ａと直交する方向に延出し且つ内部に軸方向に延在する空洞部が形成された回転駆動軸としてのピニオン１３とを備えている。
【００１７】
前記ピニオン１３は、ピニオン歯部１３ａの前側と後側において、リール本体２に対して軸受１４，１４´により回転可能に支持されている。また、ピニオン１３は、スプール５側に向けて延出しており、その先端部に前記ロータ３が締め付けナットを介して取り付けられている。なお、ピニオン歯部１３ａの前側の軸受１４は、一端がピニオン歯部１３ａの前端、及びリール本体２の前端部中央に形成された凹所の支持部２ａに突き当てられており、他端が後述する転がり式一方向クラッチ１５との間に介挿される抜け止め部材２０によって軸方向で抜け止めされる。一方、ピニオン歯部１３ａの後側の軸受１４´は、ピニオン歯部１３ａの後端とリール本体２に形成された支持部２ｂとの間で挟持されることにより軸方向で固定される。
【００１８】
また、ピニオン歯部１３ａの前側に配置した軸受１４の前方側のピニオン１３上には、転がり式一方向クラッチ１５が取り付けられ（配置され）ており、ハンドル６（ロータ３）の釣糸繰出し方向の逆回転を防止する公知の逆転防止機構（ストッパ）を構成している。
【００１９】
この一方向クラッチ１５は、公知のように、ピニオン１３に対して回り止め嵌合された内輪１５ａと、内輪１５ａの外側に配された保持器１５ｂと、保持器１５ｂの外側に配された外輪１５ｃとを有しており、前記外輪１５ｃの内周面には、保持器１５ｂによって保持された複数の転動部材１５ｄがフリーに回転できるフリー回転領域と、複数の転動部材の回転を阻止する楔領域とが形成されている。
【００２０】
前記ピニオン１３の内部に形成された空洞部には、ハンドル軸６ａと直交する方向に延出し、先端側に前記スプール５を装着したスプール軸５ａが軸方向に移動可能に挿通されている。また、ピニオン１３には、スプール５（スプール軸５ａ）を前後往復動させるための公知のスプール往復動装置２１が係合している。
【００２１】
このような構成を有する魚釣用スピニングリールにおいて、ハンドル６により巻き取り操作を行なうと、ロータ３が巻き取り駆動機構を介して回転駆動される共に、スプール５がスプール往復動装置２１を介して前後往復動されるので、釣糸は、前記釣糸案内部１０を介してスプール５の巻回胴部５ｂに均等に巻回される。また、釣糸の放出（仕掛けの投擲）は、ベール支持部材９（ベール７）を、図４に示す位置から図６に示す位置に反転操作して、釣糸を釣糸案内部１０から外した状態にして、人差し指で釣糸を引っ掛け、釣竿を振り下ろすことで行なわれる。
【００２２】
次に、釣糸を放出すべくベール支持部材９を反転操作した際、ベール支持部材９の釣糸放出位置での安定化を図るための誤復帰防止装置の構成について説明する。
【００２３】
誤復帰防止装置３０は、ロータ３の一方のアーム部３ａ内に配設されており、本実施形態では、釣糸案内部１０が設けられている側のアーム部内に配設されている。
【００２４】
前記ベール支持部材９は、アーム部３ａ内にピン２３によって回動可能に支持されると共に、後述する振り分けバネによって、釣糸放出位置と釣糸巻き取り位置に振り分け保持されるよう構成されている。
【００２５】
前記アーム部３ａの略中心部分には、回動可能な筒状の保持体３ｃ（図５、図７において回動中心点を符号Ｃで示す）が設けられており、この保持体３ｃには、それを中心として回動可能となるように、シャフト３１が支持されている。前記シャフト３１の一端側には、外側に屈曲した突部３１ａが形成されており、これはベール支持部材９の回動支持部近傍に保持されている。また、シャフト３１の他端側は、リール本体側に向けて延出しており、支持部材９が釣糸巻き取り位置から釣糸放出位置に反転された際に、その端部３１ｂが、移動部材を構成するキックレバー３３に係合可能となっている。
【００２６】
前記保持体３ｃと突部３１ａとの間には、コイル状の振り分けバネ（リングバネ）３５が配設されており、ベール支持部材９を釣糸巻き取り位置と釣糸放出位置との間で振り分け保持するようになっている。具体的には、振り分けバネ３５は、コイル状に構成されてシャフト３１を囲繞するように配され、一端が保持体３ｃの底部に保持され、他端がシャフト３１に設けられたバネ止め凸部３１ｃによって抜け止めされたリング３１ｄに保持されており、ベール支持部材９を、図５及び図７に示す状態に振り分け保持している。
【００２７】
なお、上記した保持体３ｃ、シャフト３１、キックレバー３３等の部材は、アーム部３ａに装着されるカバー３Ａを取り外すことで露出される（図４から図７参照）。
【００２８】
図２及び図３に示すように、ロータ３の円筒部３Ｂのリール本体側基端部と、アーム部３ａとの間の接続領域には、その下面側において支持突起３Ｃが形成されており、この支持突起３Ｃには、前記キックレバー３３がロータの回転軸と略直交する面内において回動可能に支持されている。キックレバー３３は、その略中心位置が支持突起３Ｃに対して回動可能に支持されており、前記カバー３Ａを取着することで、カバー３Ａの当接部３Ａ´がキックレバー３３の表面に当接してキックレバー３３は、抜け止め保持される。なお、キックレバー３３は、ピン等の部材によって、ロータ３に対して回動可能（移動可能）に保持される構成であっても良い。
【００２９】
前記キックレバー３３の一側部には、アーム部３ａの内部空間に位置するように、係合突部３３ａが上方側に向けて突出形成されており、ここに、ベール支持部材９が釣糸放出位置へ反転操作された際、それに伴って回動する前記シャフト３１の端部３１ｂが係合するようになっている。
【００３０】
また、キックレバー３３の他側部は、支持突起３Ｃを中心として回動された際、ロータの中心側に向けて入り込むようになっており、その入り込む部分には、ブレーキ体３３ｂが設けられている。この場合、ブレーキ体３３ｂは、円板状でゴムのような弾性体によって構成されており、キックレバー３３の他側部に回転しないように取着されている。このブレーキ体３３ｂは、後述するリール本体に着脱可能に設けられる突出部材の外面に接触して、ロータの不用意な回転に対して制動力を付与する機能を備えている。
【００３１】
また、前記キックレバー３３には、前記支持突起３Ｃとの間で、フリクションバネ３５が巻回されており、キックレバー３３は、常時、図３の点線位置となるように付勢されている（図３の点線は、ベール支持部材が図４及び図５の釣糸巻き取り状態の位置を示している）。
【００３２】
前記リール本体２の前部には、キックレバー３３の他側部に取着されたブレーキ体３３ｂが接触可能となるように、突出部材４０が着脱可能に設けられている。この突出部材４０は、ロータ３の円筒部３Ｂの内壁３Ｄに沿って延在し、かつ内壁に対して所定間隔をおいて配されるものであり、本実施形態の突出部材４０は、筒状に構成されている。具体的には、図２に示すように、ロータ３の円筒部３Ｂの内壁３Ｄと前記一方向クラッチ１５との間に円周壁部４１が配置されて、一方向クラッチ１５を包囲するカバー体（以下、カバー体４０とも称する）として構成されている。
【００３３】
このカバー体４０は、リール本体２の前部に対して容易に着脱できるように、好ましくは、螺合によって取着されている。すなわち、リール本体２の前部には、スプール側に向けて雄ネジ部２ｅが突出形成されており、前記円周壁部４１には、雄ネジ部２ｅに対して螺合されるように、雌ネジ部４１ａが形成されている。これにより、カバー体４０は、上記した一方向クラッチ１５等の機能部品を組み込んだ後に、リール本体に対して容易に装着できると共に、ロータ３をリール本体２から外して容易に取り外すことが可能となる。
【００３４】
なお、前記カバー体４０は、一方向クラッチ１５をシールする機能、いわゆる各種部品の防水体として機能を兼ね備えていても良い。具体的には、本実施形態のように、カバー体４０は、その前端側が駆動軸であるピニオン１３に向けて径方向内側に屈曲された底部４２を具備しており、その底部４２の中央には、ピニオン１３を挿通させる開口４２ａが形成され、この開口４２ａには、シール機構４５が配設されている。このシール機構４５は、駆動軸であるピニオン１３と共に一体回転する回転部との間に設けられていれば良く、図２に示すように、ロータ３の基部３ｆに取着され、開口４２ａの内周面に対して、径方向に当接するゴムリング（パッキン）によって構成することが可能である。また、リール本体２とカバー体４０との間にも、Ｏリング（パッキン）４６が介在されており、カバー体４０は、ロータの制動機能に加え、リール本体２に対して着脱可能で、一方向クラッチ１５全体をシールする機能を備えている。
【００３５】
上記した構成において、移動部材を構成するキックレバー３３は、アルミ合金のような金属、或いは樹脂等によって形成することが可能である。また、突出部材であるカバー体４０については、軽量化が図れるように、樹脂等によって形成することが可能である。
【００３６】
図３に示すように、カバー体４０の円周壁部４１の外面には、前記ブレーキ体３３ｂが接触してロータの不用意な回転に対して制動力を付与する。ブレーキ体３３ｂについては、上述したように、キックレバー３３に対して回転しないように取着されているが、回転可能となるように支持しても良い。この場合、ブレーキ体３３ｂについては、高圧力状態（ベールの自動反転復帰に影響を与えない程度）で円周壁部４１の外面に接触するように構成することが好ましい。
【００３７】
次に、上記した構成の魚釣用スピニングリールにおける誤復帰防止装置３０の作用について説明する。  
ベール支持部材９を、図４及び図５に示す釣糸巻き取り位置から、図６及び図７に示す釣糸放出位置に回動操作すると、シャフト３１は、回動中心点Ｃを中心として保持体３ｃと共に回動し、図７の矢印で示すようにシャフト３１の端部３１ｂがキックレバー３３の係合突部３３ａに係合する。
【００３８】
これにより、キックレバー３３は、支持突起３Ｃを中心として回動され、その端部に設けられたブレーキ体３３ｂは、図３の点線から実線で示すように、ロータの中心側に向けて入り込み、前記カバー体４０の円周壁部４１の外面に接触する（この際、ベール支持部材９は、振り分けバネ３５の作用によって釣糸巻き取り位置に振り分け保持される）。これにより、ロータ３は、ブレーキ体３３ｂとカバー体４０の外面との間の摩擦力によって回転が規制された状態となり、釣糸を放出する際に、ロータ３の不要な回転が防止され、ロータの回転に伴うベール支持部材９の釣糸巻き取り位置への誤復帰が防止される。
【００３９】
そして、上記したカバー体４０は、ロータ３の円筒部３Ｂの内壁３Ｄに対して所定間隔をおいて延在しており、一方向クラッチ１５のような各種の機能部品は、カバー体４０に対して径方向内側に配置されるため、キックレバー３３のブレーキ体３３ｂが移動接触する面（円周壁部４１の外面）には、グリスやオイル等が付着することがなく、これにより、ロータ３の制動特性が安定するようになる。
【００４０】
特に、リールを組立てる際には、カバー体４０は、ユニットとして、リール本体２に対して上記した一方向クラッチ１５などを組み込んだ後に組み付けることが可能であるため、そのような組立て作業時においても、制動部となる部分に、グリスやオイル等が付着することが確実に防止される。
【００４１】
また、本実施形態では、リール本体２に対して着脱可能に設けられる突出部材を、一方向クラッチ１５を包囲するカバー体として構成しているため、１つの部材で、一方向クラッチ１５を保護する保護機能と、ロータ３の制動を果たす制動機能が得られ、部品を効率的に利用することが可能となる。特に、本実施形態では、カバー体４０にシール機構を配設したことで、一方向クラッチ１５に対する浸水防止機能を図ることが可能となる。
【００４２】
さらに、上記した実施形態では、カバー体４０をリール本体２に対して、螺合により着脱できる構成としたため、一方向クラッチ１５の配置後の組み込み作業が容易になり、より確実にグリスやオイル等が付着することを防止することができる。
【００４３】
次に、本発明の別の実施形態について説明する。なお、以下の実施形態では、上記した実施形態と同一の部分については、同一の参照符号を付し、その詳細な説明については省略する。
【００４４】
図８は、本発明に係る魚釣用スピニングリールの第２の実施形態を示す図であり、主要部を拡大した図、図９は、図８のＢ−Ｂ線に沿った断面図である。
【００４５】
この実施形態では、キックレバー３３の端部に設けられるブレーキ体３３ｂの表面にギヤ３３ｃを形成すると共に、ブレーキ体３３ｂをキックレバー３３に対して回転可能に装着した構成となっている。また、突出部材であるカバー体４０の円周壁部４１の外面には、前記ギヤ３３ｃと噛合するように、円周方向に沿って凹凸４１ｃが形成されている。
【００４６】
これにより、ブレーキ体３３ｂとカバー体４０とを、ある程度の高圧力状態で接触させてロータに制動力を付与することが可能となり、ベール支持部材９の誤復帰を確実に防止することが可能となる。
【００４７】
また、本実施形態では、カバー体４０の開口４２ａに設置されるシール機構４５ａは、開口４２ａの周辺の表面領域に接触（スラスト方向の接触）するように構成されており、これにより、接触圧が安定してシール効果をより高めることが可能となる。
【００４８】
図１０は、本発明に係る魚釣用スピニングリールの第３の実施形態を示す図であり、内部構成を示した図、図１１は、図１０に示す主要部の拡大図、そして、図１２は、図１０のＣ−Ｃ線に沿った断面図である。
【００４９】
本実施形態では、一方向クラッチ１５の切換操作レバー５０を、リール本体２の下面側となるように配設している。このため、切換操作レバー５０に連結される切り換えカム５１等を配置するために、リール本体２の前部には、径方向外方に突出する突部２ｈを形成する必要がある。
【００５０】
リール本体２に、このような突部２ｈを形成することで、上記した実施形態におけるカバー体４０のように、筒状に構成してリール本体２に螺合させることが困難となり、かつカバー体自体の形状も複雑になることから、防水機能が低下しないように、本実施形態では、カバー体６０をエラストマーで構成して、カバー体そのものにパッキン機能を持たせる構成としている。
【００５１】
具体的には、一方向クラッチ１５を包囲するカバー体６０は、径方向外側に位置する外側囲繞部６０ａと、径方向内側に位置する内側囲繞部６０ｂと、これらの囲繞部６０ａ，６０ｂ同士を接続する前端接続部６０ｃとを有しており、リール本体２に対して着脱自在に取り付けられている。図１２に示すように、カバー体６０の外側囲繞部６０ａは、リール本体２に形成された突部２ｈと密着するように、周方向の一部を取り除いて突部２ｈの側面部２ｍに接合させており、外側囲繞部６０ａの後端位置についても、図１１に示すように、突部２ｈと密着できるように、部分的に前後方向の一部を取り除いて部分的に突部２ｈの前面部２ｎに接合させている。
【００５２】
このように、カバー体６０の形状が複雑になっても、カバー体そのものをエラストマーで構成することで、シール特性を低下させないことが可能となる。この場合、カバー体６０のリール本体２に対する着脱については、図示されていないネジ部材等によって行なうようにしても良いし、リール本体２に対して圧入するような構成であっても良い。
【００５３】
また、本実施形態のキックレバー３３は、上記したようなブレーキ体３３ｂを装着することなく、その表面（当接部３３ｄ）がカバー体６０の外面（外側囲繞部６０ａの外面）に接触して、制動を付与するように構成されている。このため、当接部３３ｄが接触する部分には、図１１に示すように肉厚部６０ａ´を形成しておくことが好ましく、これにより、十分な剛性を確保して、制動力を安定させることが可能となる。
【００５４】
また、カバー体６０は、エラストマー以外にも、樹脂とエラストマーの組み合わせで構成しても良い。例えば、上記した肉厚部６０ａ´のみをエラストマーで構成し、他の部分を樹脂で構成しても良い。さらに、カバー体６０は、意匠性を持たせるために、塗装を施しても良い。この場合、肉厚部６０ａ´や、パッキンとしての機能（防水性）を持たせる部分については、未塗装としておくことが好ましい。
【００５５】
また、上記したカバー体６０に装着されるシール機構については、図に示すように、磁気シール機構７０で構成しても良い。この磁気シール機構７０は、ピニオン１３が挿通されるカバー体６０の開口部分にユニット体として設置されており、ピニオンと共に回転する回転部（ロータ３の基部３ｆ）との間に磁性流体（磁性膜）を形成して、一方向クラッチ１５をシールしている。
【００５６】
このように、本発明は、シール機構の構成については、特に限定されることはなく、様々な形態のものを設置することが可能である。
【００５７】
以上、本発明の実施形態について説明したが、本発明は、上記した実施形態に限定されることはなく、種々変形することが可能である。
【００５８】
例えば、リール本体２に着脱可能に設けられる突出部材については、筒状に構成されるのではなく、円弧状に構成されたものであっても良い。すなわち、釣糸放出時において、釣人がベールを反転させて釣糸を引っ掛ける位置（移動部材であるキックレバー３３が接触する位置）については、図３に示す位置に限定されることから、この領域に円弧状の突出部材を着脱可能に設けても良い。
【００５９】
また、突出部材は、ロータの円筒部の内壁に沿ってスプール側に突出していれば良く、一方向クラッチのような機能部品の少なくとも一部（好ましくは全部）を覆うように構成しておくことが好ましい。すなわち、このような機能部品を覆うことにより、より確実にオイルやグリス等が、制動部分に付着することを防止することができる。
【００６０】
また、前記移動部材や突出部材の構成、突出部材と接触してロータの回転に制動力を付与するための構成（移動部材の移動方向等）、及び突出部材に対する接触態様についても、適宜変形することが可能である。
【符号の説明】
【００６１】
１  リール本体
３  ロータ
３Ｂ  円筒部
３Ｄ  内壁
５  スプール
６  ハンドル
９  ベール支持部材
１０  釣糸案内部
１５  一方向クラッチ
３３  キックレバー（移動部材）
４０，６０  突出部材（カバー体）
【図１】
2010273618.tif 000003
【図２】
2010273618.tif 000004
【図３】
2010273618.tif 000005
【図４】
2010273618.tif 000006
【図５】
2010273618.tif 000007
【図６】
2010273618.tif 000008
【図７】
2010273618.tif 000009
【図８】
2010273618.tif 000010
【図９】
2010273618.tif 000011
【図１０】
2010273618.tif 000012
【図１１】
2010273618.tif 000013
【図１２】
2010273618.tif 000014